(57)【特許請求の範囲】
【請求項１】
複数の広告主が提供する、携帯端末装置のアプリケーションのための広告システムであって、
前記複数の広告主が提供するアプリケーションを紹介する、広告プラットフォームを提供するプラットフォームサーバと、前記アプリケーションを提供する広告主サーバとを備え、
前記プラットフォームサーバは、
前記携帯端末装置から、前記広告プラットフォームを介して、該携帯端末装置にダウンロードされるアプリケーションの選択を受け付けるアプリケーション選択受付部と、
前記携帯端末装置を、前記アプリケーション選択受付部にて選択を受け付けたアプリケーションのダウンロードサイトにリダイレクトするリダイレクト部と、
前記ダウンロードサイトへの前記携帯端末装置のリダイレクトを行う場合に、前記広告プラットフォームが経由されたことを示す経由情報を前記携帯端末装置に送信する経由情報送信部とを備え、
前記広告主サーバは、
前記ダウンロードサイトにてダウンロードしたアプリケーションを起動した携帯端末装置から送信された、前記経由情報を受信する経由情報受信部と、
前記経由情報受信部における前記経由情報の受信に応じて、前記広告プラットフォームを経由して当該広告主が提供するアプリケーションがダウンロードされたことを示すデータが記憶されるアフィリエイトデータベースを更新するための更新情報を生成するアフィリエイトデータベース更新情報生成部とを備え、
前記アフィリエイトデータベースは、当該アフィリエイトデータベースを管理するアフィリエイトサーバに備えられ、
前記プラットフォームサーバは、さらに、
前記更新情報に基づく前記アフィリエイトデータベースの更新に応じて前記アフィリエイトサーバから送信されるアフィリエイトデータベース更新通知を受信すると、前記広告プラットフォームにおいて当該アプリケーションに対応付けられた電子クーポンに関する情報を当該アプリケーションを起動した携帯端末装置に対して送信する電子クーポン情報送信部を備え、
前記広告システムは、前記アフィリエイトサーバと、前記電子クーポンに関する情報を管理する電子クーポンサーバと、を備え、
前記プラットフォームサーバは、
前記アフィリエイトデータベース更新通知を受信すると、当該アフィリエイトデータベース更新通知に含まれるアプリケーションに対応する商品を特定して、前記電子クーポンサーバに対する電子クーポンの発行指示を生成し、前記電子クーポンサーバに前記発行指示を送信し、
前記発行指示に基づいて前記電子クーポンサーバで発行された電子クーポンを当該電子クーポンサーバから受信すると、前記アフィリエイトデータベース更新通知に含まれるユーザの携帯端末装置に対して電子クーポン発行通知を送信する、広告システム。
【請求項２】
前記アフィリエイトサーバは、所定期間内に各アプリケーションが前記広告プラットフォームを経由してダウンロードされた回数データを前記プラットフォームサーバに通知し、前記プラットフォームサーバは、前記回数データを各広告主に請求される広告報酬の算定基準データとして記憶する請求項１に記載の広告システム。
【請求項３】
複数の広告主が提供する、携帯端末装置のアプリケーションのための広告システムにおける広告方法であって、
前記広告システムは、複数の広告主が提供するアプリケーションを紹介する、広告プラットフォームを提供するプラットフォームサーバと、前記アプリケーションを提供する広告主サーバとを備え、
前記プラットフォームサーバは、
前記携帯端末装置から、前記広告プラットフォームを介して該携帯端末装置にダウンロードされるアプリケーションの選択を受け付けるステップと、
前記携帯端末装置を、前記アプリケーション選択受付部にて選択を受け付けたアプリケーションのダウンロードサイトにリダイレクトするステップと、
前記ダウンロードサイトへの前記携帯端末装置のリダイレクトを行う場合に、前記広告プラットフォームが経由されたことを示す経由情報を前記携帯端末装置に送信するステップと、を実行し、
前記広告主サーバは、
前記ダウンロードサイトにてダウンロードしたアプリケーションを起動した携帯端末装置から送信された、前記経由情報を受信するステップと、
前記経由情報の受信に応じて、前記広告プラットフォームを経由して当該広告主が提供するアプリケーションがダウンロードされたことを示すデータが記憶されるアフィリエイトデータベースを更新するための更新情報を生成するステップと、を実行し、
前記アフィリエイトデータベースは、当該アフィリエイトデータベースを管理するアフィリエイトサーバに備えられ、
前記プラットフォームサーバは、さらに、
前記更新情報に基づく前記アフィリエイトデータベースの更新に応じて前記アフィリエイトサーバから送信されるアフィリエイトデータベース更新通知を受信すると、前記広告プラットフォームにおいて当該アプリケーションに対応付けられた電子クーポンに関する情報を当該アプリケーションを起動した携帯端末装置に対して送信するステップを実行し、
前記広告システムは、前記アフィリエイトサーバと、前記電子クーポンに関する情報を管理する電子クーポンサーバと、を備え、
前記プラットフォームサーバは、
前記アフィリエイトデータベース更新通知を受信すると、当該アフィリエイトデータベース更新通知に含まれるアプリケーションに対応する商品を特定して、前記電子クーポンサーバに対する電子クーポンの発行指示を生成し、前記電子クーポンサーバに前記発行指示を送信するステップと、
前記発行指示に基づいて前記電子クーポンサーバで発行された電子クーポンを当該電子クーポンサーバから受信すると、前記アフィリエイトデータベース更新通知に含まれるユーザの携帯端末装置に対して電子クーポン発行通知を送信するステップと、を実行する、広告方法。
【請求項４】
携帯端末装置のアプリケーションプログラムであって、
前記アプリケーションプログラムは、複数の広告主が提供するアプリケーションを紹介する広告プラットフォームを介して、前記携帯端末装置においてダウンロードを選択された場合に、前記広告プラットフォームを提供するプラットフォームサーバによりリダイレクトされたダウンロードサイトにて前記携帯端末装置にダウンロードされ、
前記アプリケーションプログラムは、前記携帯端末装置に、
該アプリケーションプログラムの起動が初回であるか否かを判定するステップと、
該アプリケーションプログラムの起動が初回であると判定された場合に、前記携帯端末装置が前記プラットフォームサーバによりリダイレクトされた場合に前記プラットフォームサーバから受信する、前記広告プラットフォームが経由されたことを示す経由情報を、前記携帯端末装置の経由情報記憶部から取得するステップと、
取得した前記経由情報を該アプリケーションを提供する、広告主サーバに送信するステップと
を実行させるアプリケーションプログラム。
【請求項５】
複数の広告主が提供する、携帯端末装置上のサービスのための広告システムであって、
前記複数の広告主が提供するサービスを紹介する、広告プラットフォームを提供するプラットフォームサーバと、前記サービスを提供する広告主サーバとを備え、
前記プラットフォームサーバは、
前記携帯端末装置から、前記広告プラットフォームを介して、該携帯端末装置にダウンロードされる前記サービスのためのアプリケーションの選択を受け付けるアプリケーション選択受付部と、
前記アプリケーションの選択を受け付けた場合に、前記広告プラットフォームが経由されたことを示す経由情報を前記携帯端末装置に送信する経由情報送信部とを備え、
前記広告主サーバは、
前記サービスの利用に関する登録がなされた前記携帯端末装置から送信された、前記経由情報を受信する経由情報受信部と、
前記経由情報受信部における前記経由情報の受信に応じて、前記広告プラットフォームを経由して当該広告主が提供するサービスの利用に関する登録がなされたことを示すデータが記憶されるアフィリエイトデータベースを更新するための更新情報を生成するアフィリエイトデータベース更新情報生成部とを備え、
前記アフィリエイトデータベースは、当該アフィリエイトデータベースを管理するアフィリエイトサーバに備えられ、
前記プラットフォームサーバは、さらに、
前記更新情報に基づく前記アフィリエイトデータベースの更新に応じて前記アフィリエイトサーバから送信されるアフィリエイトデータベース更新通知を受信すると、前記広告プラットフォームにおいて当該アプリケーションに対応付けられた電子クーポンに関する情報を当該サービスの利用に関する登録がなされた携帯端末装置に対して送信する電子クーポン情報送信部を備え、
前記広告システムは、前記アフィリエイトサーバと、前記電子クーポンに関する情報を管理する電子クーポンサーバと、を備え、
前記プラットフォームサーバは、
前記アフィリエイトデータベース更新通知を受信すると、当該アフィリエイトデータベース更新通知に含まれるアプリケーションに対応する商品を特定して、前記電子クーポンサーバに対する電子クーポンの発行指示を生成し、前記電子クーポンサーバに前記発行指示を送信し、
前記発行指示に基づいて前記電子クーポンサーバで発行された電子クーポンを当該電子クーポンサーバから受信すると、前記アフィリエイトデータベース更新通知に含まれるユーザの携帯端末装置に対して電子クーポン発行通知を送信する、広告システム。
【発明の詳細な説明】
【技術分野】
【０００１】
本発明は、携帯端末装置、特に、スマートフォンやタブレット型コンピュータ用のアプリケーションソフトウェアを広告するための広告システムに関するものである。
【背景技術】
【０００２】
近年、いわゆるスマートフォンの普及に伴い、スマートフォンやタブレットＰＣ上で動作するアプリケーションソフトウェア（アプリケーション）が、アプリケーションの販売自体を目的としない企業によっても多数開発され、有料または無料で提供されている。このような携帯端末装置用のアプリケーションは、ユーザにとって便利な機能を提供する一方で、アプリケーションを提供する企業にとっても、重要な役割を担っている。具体的には、例えば、自社製品／サービスの販売促進や、ＥＣ（電子商取引）サイトへの誘導、さらには、企業イメージの向上等である。
【０００３】
なお、本発明に関連する先行技術として、以下の先行技術文献がある。
【先行技術文献】
【特許文献】
【０００４】
【特許文献１】特開２０１２−２４８０７３号公報
【発明の概要】
【発明が解決しようとする課題】
【０００５】
ところが、ユーザは、例えば、人気順等でアプリケーションがランキングされた、ダウンロードポータルサイトからアプリケーションを入手するのが通常であり、一般企業が提供するアプリケーションの存在をユーザが知る機会は乏しい。そこで、例えば、アプリケーション専用の宣伝サイトを設けることにより、アプリケーションの宣伝を行うことが考えられる。しかし、上述のような、アプリケーションを提供する企業の目的は、ユーザが実際にアプリケーションを利用して初めて達成されるものである。したがって、アプリケーションを紹介するだけの広告手法では、ユーザのアプリケーション利用を促進してかかる目的を達成することは困難である。また、広告主たるアプリケーション提供企業にとっても、広告費用が広告の効果に見合っているのか否かを判断するのが難しいという問題もある。
【０００６】
本発明は、上記の問題に鑑みてなされたものであり、ユーザにアプリケーションの利用を動機付けるとともに、アプリケーションを提供する広告主が、広告の効果を定量的に判断することができる広告システムを提供することを目的とする。
【課題を解決するための手段】
【０００７】
本発明の広告システムは、複数の広告主が提供する携帯端末装置のアプリケーションのための広告システムであって、前記複数の広告主が提供するアプリケーションを紹介する、広告プラットフォームを提供するプラットフォームサーバと、前記アプリケーションを提供する広告主サーバとを備え、前記プラットフォームサーバは、前記広告プラットフォームを介して、前記携帯端末装置から、該携帯端末装置にダウンロードされるアプリケーションの選択を受け付けるアプリケーション選択受付部と、前記携帯端末装置を、前記アプリケーション選択部にて選択を受け付けたアプリケーションのダウンロードサイトにリダイレクトするリダイレクト部と、前記ダウンロードサイトへの前記携帯端末装置のリダイレクトを行う場合に、前記広告プラットフォームが経由されたことを示す経由情報を前記携帯端末装置に送信する経由情報送信部とを備え、前記広告主サーバは、前記ダウンロードサイトにてダウンロードしたアプリケーションを起動した携帯端末装置から送信された、前記経由情報を受信する経由情報受信部と、前記経由情報受信部における前記経由情報の受信に応じて、前記広告プラットフォームを経由して当該広告主が提供するアプリケーションがダウンロードされたことを示すデータが記憶されるデータベースを更新するための更新情報を生成するアフィリエイトデータベース更新情報生成部とを備え、前記プラットフォームサーバは、さらに、前記更新情報に基づく前記データベースの更新に応じて、前記広告プラットフォームにおいて当該アプリケーションに対応付けられた電子クーポンに関する情報を当該アプリケーションを起動した携帯端末装置に対して送信する電子クーポン情報送信部を備えた構成を有している。
【０００８】
この構成によれば、広告プラットフォームを経由してアプリケーションをダウンロードした携帯端末装置には経由情報が送信され、この経由情報は、アプリケーションを起動する際、広告主サーバに送信される。広告主サーバは、経由情報を受信すると、アフィリエイトデータベースを更新するための更新情報を生成し、この更新情報によって、各アプリケーションが広告プラットフォームを経由してダウンロードされたことを示すデータが記憶されたアフィリエイトデータベースが更新される。アフィリエイトデータベースが更新されると、プラットフォームサーバは、携帯端末装置に対して、電子クーポン情報を送信する。すなわち、広告プラットフォームを経由してアプリケーションをダウンロードし、起動したユーザに対し、電子クーポンが発行される。したがって、この構成によれば、電子クーポンによってユーザに対しアプリケーションの利用（ダウンロード及び起動）を動機付け、広告効果を高めることができる。また、アプリケーションが広告を経由してダウンロードされたことを示すデータがデータベースに蓄積されるので、広告の効果を定量的に判断することができる。なお、電子クーポン情報は、電子クーポンを構成するバーコード等の画像データであってもよいし、電子クーポンが発行された旨のメッセージであってもよい。
【０００９】
本発明の広告システムにおいて、前記アフィリエイトサーバは、所定期間内に各アプリケーションが前記広告プラットフォームを経由してダウンロードされた回数データを前記プラットフォームサーバに通知し、前記プラットフォームサーバは、前記回数データを各広告主に請求される広告報酬の算定基準データとして記憶してよい。
【００１０】
この構成によれば、所定期間内に広告プラットフォームを経由してダウンロードされた回数に基づいて、客観的な広告効果に見合う報酬額を算定することができる。
【００１１】
本発明の広告方法は、複数の広告主が提供する携帯端末装置のアプリケーションのための広告システムにおける広告方法であって、前記広告システムは、複数の広告主が提供するアプリケーションを紹介する、広告プラットフォームを提供するプラットフォームサーバと、前記アプリケーションを提供する広告主サーバとを備え、前記プラットフォームサーバは、前記広告プラットフォームを介して、前記携帯端末装置から、該携帯端末装置にダウンロードされるアプリケーションの選択を受け付けるステップと、前記携帯端末装置を、前記アプリケーション選択部にて選択を受け付けたアプリケーションのダウンロードサイトにリダイレクトするステップと、前記ダウンロードサイトへの前記携帯端末装置のリダイレクトを行う場合に、前記広告プラットフォームが経由されたことを示す経由情報を前記携帯端末装置に送信するステップとを備え、前記広告主サーバは、前記ダウンロードサイトにてダウンロードしたアプリケーションを起動した携帯端末装置から送信された、前記経由情報を受信するステップと、前記経由情報受信部における前記経由情報の受信に応じて、前記広告プラットフォームを経由して当該広告主が提供するアプリケーションがダウンロードされたことを示すデータが記憶されるデータベースを更新するための更新情報を生成するステップとを備え、前記プラットフォームサーバは、さらに、前記更新情報に基づく前記データベースの更新に応じて、前記広告プラットフォームにおいて当該アプリケーションに対応付けられた電子クーポンに関する情報を当該アプリケーションを起動した携帯端末装置に対して送信するステップを備える。
【００１２】
携帯端末装置のアプリケーションプログラムであって、前記アプリケーションプログラムは、該アプリケーションを紹介する広告プラットフォームを介して、前記携帯端末装置においてダウンロードを選択された場合に、前記広告プラットフォームを提供するプラットフォームサーバによりリダイレクトされたダウンロードサイトにて前記携帯端末にダウンロードされ、前記アプリケーションプログラムは、前記携帯端末装置に、該アプリケーションプログラムの起動が初回であるか否かを判定するステップと、該アプリケーションプログラムの起動が初回であると判定された場合に、前記携帯端末装置が前記プラットフォームサーバによりリダイレクトされた場合に前記プラットフォームから受信する、前記広告プラットフォームが経由されたことを示す経由情報を、前記携帯端末装置の経由情報記憶部から取得するステップと、取得した前記経由情報を該アプリケーションを提供する、広告主サーバに送信するステップとを実行させる。
【発明の効果】
【００１３】
本発明によれば、電子クーポンによってユーザのアプリケーションの利用が動機付けられるので、広告効果を高めることができる。また、アプリケーションが広告を経由してダウンロードされたことを示すデータが蓄積されるので、広告の効果を定量的に判断することができる。
【図面の簡単な説明】
【００１４】
【図１】本発明の実施の形態における広告システムの構成を示すブロック図
【図２】本発明の実施の形態におけるリダイレクトデータベースに記憶されるデータの例を示す図
【図３】（ａ）〜（ｃ）  本発明の実施の形態におけるクーポン情報データベースに記憶されるデータの例を示す図
【図４】本発明の実施の形態におけるアフィリエイトデータベースに記憶されるデータの例を示す図
【図５】本発明の実施の形態におけるクーポン管理データベースに記憶されるデータの例を示す図
【図６】本発明の実施の形態における広告システムの電子クーポン発行までの動作フロー図
【図７】携帯端末装置に表示されるデータの例を示す図
【図８】携帯端末装置に表示されるデータの例を示す図
【図９】本発明の実施の形態における広告システムの電子クーポン発行後の動作フロー図
【図１０】携帯端末装置に表示されるデータの例を示す図
【図１１】携帯端末装置に表示されるデータの例を示す図
【発明を実施するための形態】
【００１５】
以下、本発明の実施の形態の広告システムについて、図面を参照しながら説明する。
【００１６】
（広告システムの構成）
図１は、本発明の実施の形態の広告システムの構成を示す図である。図１に示すように、本実施の形態の広告システム１は、プラットフォームサーバ１０と、広告主サーバ２０と、携帯端末装置３０と、アフィリエイトサーバ４０と、電子クーポンサーバ５０と、店舗端末装置６０とを備える。プラットフォームサーバ１０は、複数の広告主が提供するアプリケーションを紹介する、Ｗｅｂベースの広告プラットフォームを提供するサーバである。広告主サーバ２０は、提供するアプリケーションの宣伝のために、プラットフォームサーバ１０が提供する広告プラットフォームを利用する企業等のサーバである。携帯端末装置３０は、スマートフォン、タブレットＰＣ等の、一般ユーザが用いる携帯型端末装置である。アフィリエイトサーバ４０は、各広告主がプラットフォームサーバ１０により提供される広告プラットフォームの利用に対して支払う広告料の算定基準となるアフィリエイト件数を管理するサーバである。電子クーポンサーバ５０は、電子クーポン情報を管理するサーバである。店舗端末装置６０は、電子クーポンが使用される実店舗（本実施の形態ではコンビニエンスストア）に設置される端末である。
【００１７】
プラットフォームサーバ１０は、ネットワークを介して、広告主サーバ２０、携帯端末装置３０、アフィリエイトサーバ４０、電子クーポンサーバ５０に接続される。広告主サーバ２０は、ネットワークを介して携帯端末装置３０及びアフィリエイトサーバ４０に接続される。店舗端末装置６０は、ネットワークを介して電子クーポンサーバ５０に接続される。
【００１８】
（プラットフォームサーバの構成）
プラットフォームサーバ１０は、リダイレクト部１１、経由情報生成部１２、クーポン発行指示生成部１３、クーポン情報更新部１４、通信部１５、リダイレクトデータベース１６、クーポン情報データベース１７を備える。リダイレクト部１１は、リダイレクトデータベース１６を参照して、プラットフォームサーバ１０に接続され、Ｗｅｂページである広告プラットフォームが表示されている携帯端末装置３０を、携帯端末装置３０が広告プラットフォーム上で選択したアプリケーションのダウンロードサイトにリダイレクトする。携帯端末装置３０が選択したアプリケーションの情報は、通信部１５を介して取得する。図２は、リダイレクトデータベース１６に記憶されるデータの例を示す図である。本実施の形態において、広告主が提供するアプリケーションは、スマートフォン用のアプリケーションが集められたポータルサイトから直接ダウンロードすることができる。そのため、図２に示すＡ１アプリを選択した携帯端末装置３０は、ポータルサイトである××マーケットのＡ１アプリダウンロードページにリダイレクトされることになる。
【００１９】
経由情報生成部１２は、リダイレクト部１１がリダイレクトを行う場合、すなわち、携帯端末装置３０が、広告プラットフォーム上であるアプリケーションのダウンロードを選択した場合、経由情報を生成する。経由情報とは、広告プラットフォームを経由して当該アプリケーションのダウンロードサイトにリダイレクトされたことを示す情報であり、本実施の形態ではＣｏｏｋｉｅ（ＨＴＴＰ  Ｃｏｏｋｉｅ）である。後述のように、本実施の形態では、携帯端末装置３０を使用して広告プラットフォームにアクセスするユーザはユーザＩＤにより識別されるが、経由情報生成部１２にて生成される経由情報には、このユーザＩＤが含まれる。
【００２０】
クーポン発行指示生成部１３は、クーポン情報データベース１７を参照して、電子クーポンサーバ５０に対する電子クーポンの発行指示を生成する。本実施の形態において、電子クーポンの発行指示とは、携帯端末装置３０が選択したアプリケーションに対応する商品と交換可能な期限付き電子クーポンを発行すべき旨の指示である。図３は、本実施の形態のクーポン情報データベース１７に記憶されるデータの一部の例を示す図である。図３（ａ）に示すように、クーポン情報データベース１７には、アプリケーションＩＤとクーポン商品ＩＤとクーポン使用期限が対応付けて記憶される。また、図３（ｂ）に示すように、クーポン情報データベース１７には、ユーザＩＤと発行済み電子クーポンＩＤが対応付けて記憶される。クーポン情報更新部１４は、電子クーポンサーバ５０から受信した情報に基づき、発行された電子クーポンのＩＤをユーザＩＤに対応付けてクーポン情報データベースに書き込む。さらに、図３（ｃ）に示すように、クーポン情報データベース１７には、電子クーポンサーバから受信した電子クーポンのバーコード画像とクーポンＩＤが対応付けて記憶されており、クーポン情報更新部１４は、使用済み及び期限切れの電子クーポンのＩＤに対応するバーコード画像の消し込みを行う。
【００２１】
通信部１５は、携帯端末装置３０との通信により、リダイレクト部１１によるリダイレクト先を特定するため、携帯端末装置３０にて、広告プラットフォーム上で選択されたアプリケーションの選択を受け付け、経由情報生成部１２にて生成された経由情報及び電子クーポンサーバ５０にて発行された電子クーポン情報（バーコード画像）を携帯端末装置３０に送信する。通信部１５は、また、アフィリエイトサーバ４０との通信により、アフィリエイトデータベース更新通知を受信する。通信部１５は、さらに、電子クーポンサーバ５０との通信により、クーポン発行指示生成部１３にて生成したクーポン発行指示を電子クーポンサーバ５０に送信し、電子クーポンサーバ５０から、電子クーポンが使用されたことを示す情報を取得する。すなわち、通信部１５は、少なくとも、アプリケーション選択受付部と、経由情報送信部と、電子クーポン情報送信部としての機能を有する。
【００２２】
（携帯端末装置、広告主サーバ、アフィリエイトサーバ、電子クーポンサーバ、店舗端末装置の構成）
携帯端末装置３０は、経由情報記憶部３１と、アプリケーション記憶部３２と、通信部３３とを備える。経由情報記憶部３１は、通信部３３を介してプラットフォームサーバ１０から取得した経由情報を記憶する。アプリケーション記憶部３２は、プラットフォームサーバ１０のリダイレクト部１１にてリダイレクトされた、ダウンロードサイトからダウンロードされたアプリケーションを記憶する。通信部３３は、アプリケーション記憶部３２に記憶される、アプリケーションが初めて起動されると、当該アプリケーションを提供する広告主サーバ２０にアクセスし、経由情報記憶部３１に記憶される経由情報を送信する。なお、アプリケーションが初めて起動されたときに行われる、経由情報の送信処理は、当該アプリケーションによって行われる。具体的には、アプリケーションが起動されると、当該起動が初めてか否かが判定され、初めてであると判定された場合に、アプリケーションは経由情報記憶部３１に記憶される経由情報を取得し、通信部３３を介して、広告主サーバ２０に経由情報を送信する。
【００２３】
広告主サーバ２０は、アフィリエイトデータベース更新情報生成部２１と、通信部２２を備える。アフィリエイトデータベース更新情報生成部２１は、携帯端末装置３０から経由情報を受信したことに応じて、アフィリエイトデータベース更新情報を生成する。アフィリエイトデータベース更新情報には、経由情報に含まれるユーザＩＤ及びアプリケーションＩＤが含まれる。通信部２２は、携帯端末装置３０から経由情報を受信し、アフィリエイトデータベース更新情報生成部２１にて生成された情報をアフィリエイトサーバ４０に送信する。すなわち、通信部２２は、少なくとも、経由情報受信部としての機能を有する。
【００２４】
アフィリエイトサーバ４０は、アフィリエイトデータベース４１、アフィリエイトデータベース更新部４２、通信部４３を備える。図４は、本実施の形態におけるアフィリエイトデータベース４１に記憶されるデータの例を示す図である。図４に示すように、本実施の形態においては、広告主と、各広告主が提供するアプリケーションのＩＤと、アプリケーションを初回起動した日時及びアプリケーションを起動したユーザのＩＤが対応付けて記憶されており、アプリケーションごとに、所定期間内における合計ダウンロード回数を集計することができる。アフィリエイトデータベース更新部４２は、通信部４３にて広告主サーバから取得したアフィリエイトデータベース更新情報に含まれるユーザＩＤ、アプリケーションＩＤに基づいて、アフィリエイトデータベース４１に記憶されるデータを更新する。なお、本実施の形態においては、広告主サーバ２０からのアフィリエイトデータベース更新情報の受信日時を、アプリケーションの初回起動日時としてアフィリエイトデータベース４１に記憶させる。通信部４３は、広告主サーバ２０からアフィリエイトデータベース更新情報を受信し、また、アフィリエイトデータベース更新部４２によりアフィリエイトデータベース４１が更新されたことに応じて、アプリケーションＩＤとユーザＩＤを含むアフィリエイトデータベース更新通知をプラットフォームサーバ１０に送信する。
【００２５】
電子クーポンサーバ５０は、クーポン管理データベース５１、クーポン管理部５２、通信部５３を備える。クーポン管理部５２は、通信部５３を介してプラットフォームサーバ１０から受信したクーポン発行指示に基づき、電子クーポンを発行する。発行された電子クーポンの情報は、クーポン管理データベース５１に記憶される。図５は本実施の形態におけるクーポン管理データベース５１に記憶されるデータの例を示す図である。図５に示すように、クーポンデータベース５１には、各クーポンに固有のクーポンＩＤと、使用期限データ、及び、各クーポンが使用済みフラグ（０は未使用、１は使用済み）が記憶される。クーポン管理部５２は、また、店舗端末装置６０から受信したクーポンＩＤに基づき、クーポンデータベース５１の使用済みフラグを更新する。クーポン発行部５２にて新たに発行された電子クーポンのＩＤ及び使用済みフラグが更新された電子クーポンのＩＤは、通信部５３を介してプラットフォームサーバ１０に送信される。
【００２６】
店舗端末装置６０は、クーポン情報読み取り部６１及び通信部６２を備える。クーポン情報読み取り部６１は、携帯端末装置３０上に表示された電子クーポンのバーコード画像を読み取る。通信部６２は、クーポン情報読み取り部６１にて読み取られたバーコード画像に基づき特定されるクーポンＩＤを電子クーポンサーバ５０に送信する。
【００２７】
（電子クーポン発行までの広告システムの動作フロー）
次に、本実施の形態における広告システム１の動作フローを図面を参照しながら説明する。図６は、広告システム１の、電子クーポン発行までの動作フロー図である。まず、プラットフォームサーバ１０は、広告プラットフォームサイトにログインした携帯端末３０に対し、広告プラットフォームのトップ画面のＷｅｂページを送信する（ステップＳ１０１）。
【００２８】
図７は、携帯端末装置３０に表示されるトップ画面の一例を示す図である。図７に示すように、トップ画面にはユーザに提供可能なクーポンが一覧表示される。クーポンの一覧のうち、ユーザが興味を持ったクーポンを選択すると（ステップＳ１０２）、プラットフォームサーバ１０は、アプリケーション広告画面のＷｅｂページを送信する（ステップＳ１０３）。図８は、携帯端末装置３０に表示されるアプリケーション広告画面の一例を示す図である。図８に示すように、各クーポンには、１以上のアプリケーションが対応付けられている。そして、対応付けられたいずれかのアプリケーションをダウンロードすることで、クーポンを入手できる旨のメッセージが表示される。
【００２９】
このようにして、特定のアプリケーションのダウンロードが動機づけられたユーザが、当該アプリケーションのダウンロードを選択すると（ステップＳ１０４）、プラットフォームサーバ１０は、携帯端末装置３０を、当該アプリケーションのダウンロードサイトにリダイレクトする（ステップＳ１０５）とともに、ログイン時に特定したユーザＩＤを含む経由情報を携帯端末装置３０に送信する（ステップＳ１０６）。携帯端末装置３０は、プラットフォームサーバ１０から受信した経由情報を記憶し（ステップＳ１０７）、ユーザの決定に従い、広告プラットフォームにて選択したアプリケーションのダウンロードを行う（ステップＳ１０８）。
【００３０】
ユーザが、ステップＳ１０８にてダウンロードしたアプリケーションを初めて起動すると（ステップＳ１０９）、携帯端末装置３０は、当該アプリケーションを提供する広告主サーバ２０にアクセスし、経由情報を送信する（ステップＳ１１０）。広告主サーバ２０は、経由情報を受信すると、アフィリエイトデータベース更新情報を生成し、アフィリエイトサーバ４０に送信する（ステップＳ１１１）。アフィリエイトデータベース更新情報を受信したアフィリエイトサーバ４０は、アフィリエイトデータベース更新情報と、当該更新情報の受信日時とに基づいて、アフィリエイトデータベースを更新し、プラットフォームサーバ１０に対し、アフィリエイトデータベース更新通知を送信する（ステップＳ１１２）。
【００３１】
アフィリエイトデータベース更新通知を受信したプラットフォームサーバ１０は、クーポン情報データベース１７を参照して、アフィリエイトデータベース更新通知に含まれるアプリケーションＩＤに対応する商品ＩＤを特定し、電子クーポン発行指示を生成し、電子クーポンサーバ５０に発行指示を送信する（ステップＳ１１３）。クーポン発行指示を受信した電子クーポンサーバ５０は、新たに電子クーポンＩＤとバーコード画像を生成して電子クーポンを発行する。そして、電子クーポンサーバ５０は、クーポン管理データベースにデータを追加して、クーポンＩＤとクーポン画像データを含む電子クーポン情報をプラットフォームサーバ１０に送信する（ステップＳ１１４）。プラットフォームサーバ１０は、電子クーポンサーバ５０から電子クーポン情報を受信すると、クーポン情報データベースを更新し、受信したアフィリエイトデータベース更新通知に含まれるユーザＩＤに基づき、携帯端末装置３０のユーザに対して、電子クーポン発行通知を送信する（ステップＳ１１５）。携帯端末装置３０は、電子クーポン発行通知を受信する（ステップＳ１１６）。
【００３２】
なお、プラットフォームサーバ１０は、所定期間ごとに、アフィリエイトサーバ４０に対して、各広告主の提供するアプリケーションのダウンロード回数を問い合わせ、アフィリエイトサーバ４０は、アフィリエイトデータベース４１を参照して、ダウンロード回数データをプラットフォームサーバ１０に送信する。プラットフォームサーバ１０は、このダウンロード回数データを、各広告主に請求する広告報酬の算定基準データとして保存し、広告主サーバ２０に通知する。
【００３３】
以上のように、プラットフォームサーバ１０が提供する広告プラットフォーム上では、広告主が提供するアプリケーションをユーザがダウンロードして起動すると、予め対応付けられた商品と交換可能な電子クーポンがユーザに発行される。これにより、ユーザにはアプリケーションの利用を動機づけることができるので、広告主は、自社が提供するアプリケーションのユーザを容易に獲得することができる。
【００３４】
他方で、ユーザが広告プラットフォームを経由してアプリケーションをダウンロード、起動すると、その履歴がアフィリエイトデータベースに記憶され、このデータは広告報酬の算定基準となり、広告主にも通知される。したがって、広告主は、広告プラットフォームを利用した結果、獲得したユーザ数を把握することができ、広告の効果を定量的に判断することができる。また、広告プラットフォームを提供する事業者も、広告主に対して広告成果（ダウンロード件数）に応じた広告報酬を請求することもでき、柔軟な料金体系で広告サービスを提供することができる。
【００３５】
（電子クーポン発行後の広告システムの動作フロー）
図９は、電子クーポン発行後の広告システムの動作フロー図である。携帯端末装置３０のユーザは、プラットフォームサービスにログインすると（ステップＳ２０１）、「マイクーポン」ページから、発行済みのクーポンを確認することができる。図１０は、携帯端末装置３０に表示される「マイクーポン」ページの一例を示す図である。図１０に示すように、ユーザに発行済みのクーポンのうち、使用済みのもの及び期限切れのものは、その旨の表示がされる。プラットフォームサーバ１０は、クーポン情報データベース１７から、ユーザＩＤに対応するクーポンＩＤに基づいて、電子クーポンサーバ５０から各クーポンに関する情報を取得し、このような表示を行う。
【００３６】
図９に戻り、ユーザが使用可能なクーポンを選択すると（ステップＳ２０２）、プラットフォームサーバ１０は、クーポンＩＤに対応するバーコード画像を取得し、携帯端末装置３０に送信する（ステップＳ２０３）。図１１は、携帯端末装置３０に表示される電子クーポンの一例を示す図である。ユーザは、図１１に示すような電子クーポンを携帯端末装置３０に表示させて（ステップＳ２０４）、実店舗であるコンビニエンスストアにて電子クーポンに対応する商品を取得することができる。
【００３７】
ユーザがコンビニエンスストアを訪れ、レジにて電子クーポンの使用を告げると、店員は店舗端末装置６０にて、対象商品のバーコードと携帯端末装置３０に表示された電子クーポンのバーコード画像を読み取り、対象商品のバーコードに含まれる商品情報と電子クーポンのバーコード画像に含まれる商品情報の一致をチェックし、バーコード画像から取得したクーポンデータを電子クーポンサーバ５０に送信する（ステップＳ２０５）。電子クーポンサーバ５０は、店舗端末装置６０から受信したクーポンデータに基づき、使用期限内であるかをチェックした上で、使用済みフラグを１に書き換え、クーポン管理データベースを更新する（ステップＳ２０６）。電子クーポンサーバ５０は、使用されたクーポンＩＤをプラットフォームサーバ１０に通知し（ステップＳ２０７）、これを受信したプラットフォームサーバ１０は、通知されたクーポンＩＤに対応するバーコード画像の消し込みを行う（ステップＳ２０８）。
【００３８】
このように、本実施の形態の広告システムにおいては、ユーザに付与される電子クーポンは実店舗で使用することができ、店舗端末装置６０を備えるコンビニエンストアも、ユーザのいわゆる「ついで買い」による売上増加を期待することができる。
【００３９】
（変形例）
上記の実施の形態では、広告システムは、電子クーポンサーバ、アフィリエイトサーバを備える場合について説明したが、これらのサーバが備える機能は、プラットフォームサーバ及び／または広告主サーバによって実現されてもよい。また、上記の実施の形態では、広告プラットフォームがＷｅｂベースのサービスである場合について説明したが、広告プラットフォーム自体が、広告主が提供するアプリケーションと同様の、携帯端末用のアプリケーションであってもよい。
【００４０】
また、上記の実施の形態では、アプリケーション起動時に、携帯端末装置から経由情報が送信され、この経由情報によってアフィリエイトデータベースが更新される場合について説明したが、本発明の範囲は、これに限定されるものではない。例えば、有料動画配信サービス業者が、「お試し」（試用）として所定期間無料視聴サービスを提供する場合、ユーザが、当該サービス対応アプリケーションを広告プラットフォームを経由してダウンロードした後、当該試用サービスへの登録を行った場合に、携帯端末装置から経由情報が送信されて、アフィリエイトデータベースが更新され、電子クーポンが発行されてよい。また、アプリケーションがゲームアプリケーションである場合に、ユーザがゲームを進めて、所定のステージまで到達した場合に、携帯端末装置から経由情報が送信されて、アフィリエイトデータベースが更新され、電子クーポンが発行されてよい。
【００４１】
さらに、本発明の範囲は、広告プラットフォームを経由してアプリケーションをダウンロードした場合に限られない。例えば、通信教育会社や、化粧品会社は、プラットフォーム上で自社製品の広告を掲載することができる。そして、ユーザが、プラットフォーム上で通信教育の資料請求や化粧品のサンプル請求を選択すると、プラットフォームサーバから経由情報が広告主サーバに送信され、広告主サーバを介してアフィリエイトデータベースが更新され、電子クーポンが発行されてよい。
【産業上の利用可能性】
【００４２】
本発明は、ユーザにアプリケーションの利用を動機付けるとともに、アプリケーションを提供する広告主が、広告の効果を定量的に判断することができるという効果を有し、アプリケーションの広告システム等として有用である。
【符号の説明】
【００４３】
１  広告システム
１０  プラットフォームサーバ
１１  リダイレクト部
１２  経由情報生成部
１３  クーポン発行指示生成部
１４  クーポン情報更新部
１５  通信部
１６  リダイレクトデータベース
１７  クーポン情報データベース
２０  広告主サーバ
２１  アフィリエイトデータベース更新情報生成部
２２  通信部
３０  携帯端末装置
３１  経由情報記憶部
３２  アプリケーション記憶部
３３  通信部
４０  アフィリエイトサーバ
４１  アフィリエイトデータベース
４２  アフィリエイトデータベース更新部
４３  通信部
５０  電子クーポンサーバ
５１  クーポン管理データベース
５２  クーポン管理部
５３  通信部
６０  店舗端末装置
６１  クーポン情報読み取り部
６２  通信部
【図１】
0006566296.tif 000002
【図２】
0006566296.tif 000003
【図３】
0006566296.tif 000004
【図４】
0006566296.tif 000005
【図５】
0006566296.tif 000006
【図６】
0006566296.tif 000007
【図７】
0006566296.tif 000008
【図８】
0006566296.tif 000009
【図９】
0006566296.tif 000010
【図１０】
0006566296.tif 000011
【図１１】
0006566296.tif 000012